(57)【要約】仮想通貨の方法およびシステムが、実通貨を備える実銀行口座と通信し、ユーザに販売する製品および／またはサービスを提供するそれぞれの商人の権限下にある１つまたは複数の商人コントローラと通信する仮想通貨コントローラを備える。仮想通貨コントローラは、ユーザに割り当てられた第１の額の仮想通貨単位および仮想ユーザ銀行口座と、ユーザの仮想銀行口座のそれぞれに別々に割り当てられた第２の額の仮想通貨単位と、を備える仮想銀行を備え、第１の額の仮想通貨単位の為替レートが、実銀行口座内の実通貨の額、第１の額の仮想通貨単位の合計および第２の額の仮想通貨単位の合計に基づいて決定される。ユーザは、仮想通貨単位を為替レートに基づいて実銀行口座内の実通貨に交換することが可能になる。【選択図】図５
2020525942.tif 000002
【特許請求の範囲】
【請求項１】
実通貨を備える実銀行口座と通信しかつユーザに販売する製品および／またはサービスを提供するそれぞれの商人の権限下にある１つまたは複数の商人コントローラと通信する仮想通貨コントローラ
を備える仮想通貨システムであって、該仮想通貨コントローラが、
ユーザに割り当てられた第１の額の仮想通貨単位および仮想ユーザ銀行口座を備え、かつ前記仮想ユーザ銀行口座のそれぞれに個別に割り当てられた第２の額の仮想通貨単位を備える仮想銀行であって、所与のユーザに割り当てられた所与の銀行口座内の前記仮想通貨単位が、前記所与のユーザの一存で自由に使うことができる、仮想銀行と、
ユーザによってアクセスされるために前記仮想通貨コントローラと通信するユーザインタフェースであって、前記ユーザインタフェースが、前記ユーザに、前記仮想ユーザ銀行口座の当該の１つと前記商人コントローラによって提供される前記製品および／またはサービスとへのアクセスを提供する、ユーザインタフェースと、
ａ）前記実銀行口座内の実通貨の価値、前記第１の額の仮想通貨単位の合計、および前記第２の額の仮想通貨単位の合計に基づいて前記仮想通貨単位の為替レートを決定するステップ、
ｂ）前記為替レートに基づいてユーザに仮想通貨単位を前記実銀行口座内の実通貨に交換することを提供するステップ、
ｃ）前記ユーザインタフェースを介した前記ユーザによる製品および／またはサービスの購入に基づいて所与の額の仮想通貨単位を前記ユーザに選択的に割り当てるステップ、および
ｄ）ユーザが、前記ユーザのそれぞれのユーザ銀行口座に対して仮想通貨単位による全部もしくは一部の支払いで製品および／またはサービスを購入することを可能にするステップ
を含む、コンピュータ実行可能ステップのメモリと、
を備える、仮想通貨システム。
【請求項２】
前記メモリ内の所定の要件に基づいてユーザに割り当てられ、仮想通貨単位と交換可能である仮想通貨ポイントのデータベースをさらに備え、前記ステップ（ｂ）が、直接の仮想通貨単位の代わりに、所与の額の仮想通貨単位を表す所与の額の仮想通貨ポイントを選択的に割り当てることをさらに含む、請求項１に記載の仮想通貨システム。
【請求項３】
前記ステップ（ｄ）における仮想通貨単位での支払いが、第１の額の一部として前記仮想銀行に再預金されるか、または前記為替レートに基づいて実通貨に交換され、前記実銀行口座に預金される、請求項１または２に記載の仮想通貨システム。
【請求項４】
商人に、前記実銀行口座に実通貨を預けることが提供される、請求項１から３のいずれか一項に記載の仮想通貨システム。
【請求項５】
前記コンピュータ実行可能ステップのメモリが、
【数１】
2020525942.tif 000013
で表されるステップに基づいて前記仮想通貨の為替レートを決定することを含み、
ＹＶが前記仮想通貨単位の為替レートを表し、
ＢＳＶが、前記実銀行に保有されている実通貨の額を表し、
Ｑが、前記仮想銀行に保有されかつユーザによって所有されていない仮想通貨単位の総額を表し、
Ｍが、ユーザの前記仮想銀行口座内に保有されている仮想通貨単位の総額を表す、請求項１から４のいずれか一項に記載の仮想通貨システム。
【請求項６】
前記コンピュータ実行可能ステップのメモリが、
【数２】
2020525942.tif 000014
で表されるステップに基づいて前記仮想通貨の修正済み為替レートを決定することを含み、
ｍｏｄｉｆｉｅｄ  ＹＶが前記仮想通貨単位の前記修正済み為替レートを表し、
Ｄが、所与の額の仮想通貨単位の形をとる品目に対して該品目の購入のための所与の額の実通貨の代わりにまたはそれに付加して、商人によってユーザに提供される割引を表す、請求項５に記載の仮想通貨システム。
【請求項７】
前記コンピュータ実行可能ステップのメモリが、式（ＩＩＩ）（ａ）：
ＢＳＶ＝（Ｑ）ＹＶ＋（Ｍ）ＹＶ
で表されるステップに基づいてＢＳＶを決定することを含む、請求項５または６に記載の仮想通貨システム。
【請求項８】
前記コンピュータ実行可能ステップのメモリが、式（Ｉ）（ｂ）もしくは式（Ｉ）（ｃ）および式（Ｉ）（ｄ）で表されるステップに基づいて新しい為替レートを決定することを含み、
前記式（Ｉ）（ｂ）が、
【数３】
2020525942.tif 000015
を含み、
前記式（Ｉ）（ｃ）が、
【数４】
2020525942.tif 000016
を含み、
前記式（Ｉ）（ｄ）が、
【数５】
2020525942.tif 000017
を含み、
ｎｅｗＹＶが、以前の為替レートＹＶに照らして新しい為替レートを表し、
ｎｅｗＢＳＶが、実銀行に保有されている実通貨の以前の額に照らして、実銀行に保有されている実通貨の新しい額を表し、ｎｅｗＢＶＳが、式（ＩＩＩ）（ｂ）または（ＩＩＩ）（ｃ）で表される前記コンピュータ実行可能ステップによって決定され、
前記式（ＩＩＩ）（ｂ）が、
ｎｅｗＢＳＶ＝ＢＳＶ＋（Ｘ−ｎｅｗＳＡ）
を含み、
ＸがＢＳＶに付加された新しい実通貨を表し、
ｎｅｗＳＡが式（ＩＶ）（ｂ）：
ｎｅｗＳＡ＝ＳＡ＋（ＳＡＲ）Ｘ
で表される前記コンピュータ実行可能ステップによって決定され、
ＳＡが、ＹＶの過大評価または過小評価によるＹＶの変動を吸収するために確保されるＢＳＶの総通貨価値の一部を表し、
ＳＡＲが、ＹＶの過大評価または過小評価によるＹＶの変動を吸収するために確保されるＢＳＶの総通貨価値の割合であり、
前記式（ＩＩＩ）（ｃ）が、
ｎｅｗＢＳＶ＝ＢＳＶ−ＶＳ
を含み、
前記ＶＳが価値ストリームを表し、式（ＩＶ）：
ＶＳ＝ＢＳＶ−（Ｄ）ＹＶ
で表される前記コンピュータ実行可能ステップによって決定され、
Ｄが、所与の額の仮想通貨単位の形をとる品目に対して、該品目の購入のための所与の額の実通貨の代わりにまたはそれに付加して、商人によってユーザに提供される割引を表し、
ｎｅｗＱが、前記仮想銀行内に保有されかつユーザによって所有されていない仮想通貨単位の以前の額に照らして、前記仮想銀行内に保有されかつユーザによって所有されていない仮想通貨単位の新しい総額を表し、ｎｅｗＱが、式（Ｖ）（ａ）または式（Ｖ）（ｂ）または式（Ｖ）（ｃ）または式（Ｖ）（ｄ）または式（Ｖ）（ｅ）で表される前記コンピュータ実行可能ステップによって決定され、
前記式（Ｖ）（ａ）が、
【数６】
2020525942.tif 000018
を含み、
前記式（Ｖ）（ｂ）が、
ｎｅｗＱ＝Ｑ−Ｐ
を含み、
前記式（Ｖ）（ｃ）が、
ｎｅｗＱ＝Ｑ＋Ｚ
を含み、
前記式（Ｖ）（ｄ）が、
ｎｅｗＱ＝Ｑ＋Ｄ
を含み、
前記式（Ｖ）（ｅ）が、
ｎｅｗＱ＝Ｑ−Ｄ
を含み、
Ｃが黄金比φを表し、
Ｐが、所定の額の仮想通貨ポイントに交換される仮想通貨単位の額を表し、
Ｚが、ユーザが実通貨に変換する仮想通貨単位の数量を表し、
ｎｅｗＭが、ユーザの前記仮想銀行口座内に保有されている仮想通貨単位の以前の額に照らして、ユーザｓの前記仮想銀行口座内に保有されている仮想通貨単位の新しい総額を表し、ｎｅｗＭが、式（ＶＩ）（ａ）または式（ＶＩ）（ｂ）で表される前記コンピュータ実行可能ステップによって決定され、
前記式（ＶＩ）（ａ）が、
ｎｅｗＭ＝Ｍ−Ｚ
を含み、
前記式（ＶＩ）（ｂ）が、
ｎｅｗＭ＝Ｍ−Ｄ
を含む、請求項５から７のいずれか一項に記載の仮想通貨システム。
【請求項９】
前記コンピュータ実行可能ステップのメモリが、式（ＩＩ）（ａ）：
ＴＤＶ＝ＢＳＶ＋ＳＡ
で表されるステップに基づいて前記実銀行に保有される総通貨価値を決定することを含み、
ＴＤＶが前記実銀行の総通貨価値を表し、
ＢＳＶが、前記実銀行の実通貨の総額を表し、
ＳＡが、ＹＶの過大評価または過小評価によるＹＶの変動を吸収するために確保されるＢＳＶの総通貨価値の一部を表す、請求項５から８のいずれか一項に記載の仮想通貨システム。
【請求項１０】
前記コンピュータ実行可能ステップのメモリが、式（ＩＩ）（ｂ）または式（ＩＩ）（ｃ）または式（ＩＩ）（ｄ）または式（ＩＩ）（ｂ）で表されるステップに基づいて前記実銀行に保有される以前の総通貨価値に照らして前記実銀行に保有される新しい総通貨価値を決定することを含み、
前記式（ＩＩ）（ｂ）が、
ｎｅｗＴＤＶ＝ＴＤＶ＋Ｘ
を含み、
前記式（ＩＩ）（ｃ）が、
ｎｅｗＴＤＶ＝ｎｅｗＢＳＶ＋ｎｅｗＳＡ
を含み、
前記式（ＩＩ）（ｄ）が、
ｎｅｗＴＤＶ＝（Ｚ）ＹＶ
を含み、
ｎｅｗＴＤＶが、前記実銀行に保有されている新しい総通貨価値を表し、
ｎｅｗＢＳＶが、前記実銀行に保有されている実通貨の以前の額に照らして、前記実銀行に保有されている実通貨の新しい額を表し、ｎｅｗＢＶＳが、式（ＩＩＩ）（ｂ）または（ＩＩＩ）（ｃ）で表される前記コンピュータ実行可能ステップによって決定され、
前記式（ＩＩＩ）（ｂ）が、
ｎｅｗＢＳＶ＝ＢＳＶ＋（Ｘ−ｎｅｗＳＡ）
を含み、
前記式（ＩＩＩ）（ｃ）が、
ｎｅｗＢＳＶ＝ＢＳＶ−ＶＳ
を含み、
ＸがＢＳＶに付加された新しい実通貨を表し、
ｎｅｗＳＡが、式（ＩＶ）（ｂ）：
ｎｅｗＳＡ＝ＳＡ＋（ＳＡＲ）Ｘ
で表される前記コンピュータ実行可能ステップによって決定され、
ＳＡが、ＹＶの過大評価または過小評価によるＹＶの変動を吸収するために確保されるＢＳＶの総通貨価値の一部を表し、
ＳＡＲが、ＹＶの過大評価または過小評価によるＹＶの変動を吸収するために確保されるＢＳＶの総通貨価値の割合であり、
ＶＳが価値ストリームを表し、式（ＩＶ）：
ＶＳ＝ＢＳＶ−（Ｄ）ＹＶ
で表される前記コンピュータ実行可能ステップによって決定され、
Ｄが、所与の数量の仮想通貨単位の形をとる品目に対して該品目の購入のための所与の額の実通貨の代わりにまたはそれに付加して、商人によってユーザに提供される割引を表し、
Ｚが、ユーザが実通貨に変換する仮想通貨単位の数量を表す、請求項９に記載の仮想通貨システム。
【請求項１１】
前記コンピュータ実行可能ステップのメモリが、式（ＩＶ）（ａ）：
ＳＡ＝（ＳＡＲ）ＴＤＶ
で表されるステップに基づいてＳＡを決定することを含み、
ＴＤＶが実銀行の総通貨価値を表し、
ＳＡが、ＹＶの過大評価または過小評価によるＹＶの変動を吸収するために確保されるＢＳＶの総通貨価値の一部を表す、請求項８から１０のいずれか一項に記載の仮想通貨システム。
【請求項１２】
仮想通貨を提供し管理する方法であって、
実通貨を備える実銀行口座を提供すること、
販売する商人によって提供される製品および／またはサービスへのアクセスをユーザに提供すること、
第１の額の仮想通貨単位を備える仮想銀行を提供すること、
ユーザに割り当てられた前記仮想銀行内に仮想ユーザ銀行口座を設け、該仮想ユーザ銀行口座のそれぞれに個別に割り当てられた第２の額の仮想通貨単位を備えることであって、所与のユーザに割り当てられた所与の銀行口座内の仮想通貨単位が、該所与のユーザの一存で自由に使ったりアクセスしたりすることができる、こと、
前記実銀行口座内の実通貨の価値、前記第１の額の仮想通貨単位の合計、および前記第２の額の仮想通貨単位の合計に基づいて前記仮想通貨単位の為替レートを決定すること、
ユーザに、前記為替レートに基づいて前記実銀行口座内の仮想通貨単位を実通貨に交換することを提供すること、
前記ユーザによる製品および／またはサービスの購入に基づいて所与の額の仮想通貨単位を前記ユーザに選択的に割り当てること、および
ユーザが、前記ユーザのそれぞれのユーザ銀行口座から仮想通貨単位による全部もしくは一部の支払いで製品および／またはサービスを購入できるようにすること、を含む方法。
【請求項１３】
前記メモリ内の所定の要件に基づいてユーザに割り当てられ、仮想通貨単位と交換可能である仮想通貨ポイントのデータベースを提供することをさらに含み、ステップにおいて、所与の額の仮想通貨単位を選択的に割り当てることが、直接の仮想通貨単位の代わりに、所与の額の仮想通貨単位を表す所与の額の仮想通貨ポイントを選択的に割り当てることを含む、請求項１２に記載の方法。
【請求項１４】
ステップにおける仮想通貨単位での支払いが、第１の額の一部として前記仮想銀行に再預金されるか、または前記為替レートに基づいて実通貨に交換され、前記実銀行口座に預金される、請求項１２または１３に記載の方法。
【請求項１５】
商人に、実通貨を前記実銀行口座に預けることが提供される、請求項１２から１４のいずれか一項に記載の方法。
【請求項１６】
前記コンピュータ実行可能ステップのメモリが、
【数１】
2020525942.tif 000019
で表されるステップに基づいて前記仮想通貨の為替レートを決定することを含み、
ＹＶが前記仮想通貨単位の為替レートを表し、
ＢＳＶが、実銀行に保有されている実通貨の額を表し、
Ｑが、前記仮想銀行に保有されかつユーザによって所有されていない仮想通貨単位の総額を表し、
Ｍが、ユーザの前記仮想銀行口座内に保有されている仮想通貨単位の総額を表す、請求項１２から１５のいずれか一項に記載の方法。
【請求項１７】
前記コンピュータ実行可能ステップのメモリが、
【数２】
2020525942.tif 000020
で表されるステップに基づいて前記仮想通貨の修正済み為替レートを決定することを含み、
ｍｏｄｉｆｉｅｄ  ＹＶが前記仮想通貨単位の前記修正済み為替レートを表し、
Ｄが、所与の額の仮想通貨単位の形をとる品目に対して該品目の購入のための所与の額の実通貨に代わりにまたはそれに付加して、商人によってユーザに提供される割引を表す、請求項１６に記載の方法。
【請求項１８】
前記コンピュータ実行可能ステップのメモリが、式（ＩＩＩ）（ａ）：
ＢＳＶ＝（Ｑ）ＹＶ＋（Ｍ）ＹＶ
で表されるステップに基づいてＢＳＶを決定することを含む、請求項１６または１７に記載の方法。
【請求項１９】
前記コンピュータ実行可能ステップのメモリが、式（Ｉ）（ｂ）または式（Ｉ）（ｃ）または式（Ｉ）（ｄ）で表されるステップに基づいて新しい為替レートを決定することを含み、
前記式（Ｉ）（ｂ）が、
【数３】
2020525942.tif 000021
を含み、
前記式（Ｉ）（ｃ）が、
【数４】
2020525942.tif 000022
を含み、
前記式（Ｉ）（ｄ）が、
【数５】
2020525942.tif 000023
を含み、
ｎｅｗＹＶが、以前の為替レートＹＶに照らして新しい為替レートを表し、
ｎｅｗＢＳＶが、実銀行に保有されている実通貨の以前の額に照らして、実銀行に保有されている実通貨の新しい額を表し、ｎｅｗＢＶＳが、式（ＩＩＩ）（ｂ）または（ＩＩＩ）（ｃ）で表される前記コンピュータ実行可能ステップによって決定され、
前記式（ＩＩＩ）（ｂ）が、
ｎｅｗＢＳＶ＝ＢＳＶ＋（Ｘ−ｎｅｗＳＡ）
を含み、
ＸがＢＳＶに付加された新しい実通貨を表し、
ｎｅｗＳＡが式（ＩＶ）（ｂ）：
ｎｅｗＳＡ＝ＳＡ＋（ＳＡＲ）Ｘ
で表される前記コンピュータ実行可能ステップによって決定され、
ＳＡが、ＹＶの過大評価または過小評価によるＹＶの変動を吸収するために確保されるＢＳＶの総通貨価値の一部を表し、
ＳＡＲが、ＹＶの過大評価または過小評価によるＹＶの変動を吸収するために確保されるＢＳＶの総通貨価値の割合であり、
前記式（ＩＩＩ）（ｃ）が、
ｎｅｗＢＳＶ＝ＢＳＶ−ＶＳ
を含み、
ＶＳが価値ストリームを表し、式（ＩＶ）：
ＶＳ＝ＢＳＶ−（Ｄ）ＹＶ
で表される前記コンピュータ実行可能ステップによって決定され、
Ｄが、所与の額の仮想通貨単位の形をとる品目に対して該品目の購入のための所与の額の実通貨の代わりにまたはそれに付加して、商人によってユーザに提供される割引を表し、
ｎｅｗＱが、前記仮想銀行内に保有されかつユーザによって所有されていない仮想通貨単位の以前の額に照らして、前記仮想銀行内に保有されかつユーザによって所有されていない仮想通貨単位の新しい総額を表し、ｎｅｗＱが、式（Ｖ）（ａ）または式（Ｖ）（ｂ）または式（Ｖ）（ｃ）または式（Ｖ）（ｄ）または式（Ｖ）（ｅ）で表される前記コンピュータ実行可能ステップによって決定され、
前記式（Ｖ）（ａ）が、
【数６】
2020525942.tif 000024
を含み、
前記式（Ｖ）（ｂ）が、
ｎｅｗＱ＝Ｑ−Ｐ
を含み、
前記式（Ｖ）（ｃ）が、
ｎｅｗＱ＝Ｑ＋Ｚ
を含み、
前記式（Ｖ）（ｄ）が、
ｎｅｗＱ＝Ｑ＋Ｄ
を含み、
前記式（Ｖ）（ｅ）が、
ｎｅｗＱ＝Ｑ−Ｄ
を含み、
Ｃが黄金比φを表し、
Ｐが、所定の額の仮想通貨ポイントに交換される仮想通貨単位の額を表し、
Ｚが、ユーザが実通貨に変換する仮想通貨単位の数量を表し、
ｎｅｗＭが、ユーザの前記仮想銀行口座内に保有されている仮想通貨単位の以前の額に照らして、ユーザｓの前記仮想銀行口座内に保有されている仮想通貨単位の新しい総額を表し、ｎｅｗＭが、式（ＶＩ）（ａ）または式（ＶＩ）（ｂ）で表される前記コンピュータ実行可能ステップによって決定され、
前記式（ＶＩ）（ａ）が、
ｎｅｗＭ＝Ｍ−Ｚ
を含み、
前記式（ＶＩ）（ｂ）が、
ｎｅｗＭ＝Ｍ−Ｄ
を含む、請求項１６から１８のいずれか一項に記載の方法。
【請求項２０】
前記コンピュータ実行可能ステップのメモリが、式（ＩＩ）（ａ）：
ＴＤＶ＝ＢＳＶ＋ＳＡ
で表されるステップに基づいて前記実銀行に保有される総通貨価値を決定することを含み、
ＴＤＶが前記実銀行の総通貨価値を表し、
ＢＳＶが、前記実銀行の実通貨の総額を表し、
ＳＡが、ＹＶの過大評価または過小評価によるＹＶの変動を吸収するために確保されるＢＳＶの総通貨価値の一部を表す、請求項１６から１９のいずれか一項に記載の方法。
【請求項２１】
前記コンピュータ実行可能ステップのメモリが、式（ＩＩ）（ｂ）または式（ＩＩ）（ｃ）または式（ＩＩ）（ｄ）で表されるステップに基づいて前記実銀行に保有される以前の総通貨価値に照らして前記実銀行に保有される新しい総通貨価値を決定することを含み、
前記式（ＩＩ）（ｂ）が、
ｎｅｗＴＤＶ＝ＴＤＶ＋Ｘ
を含み、
前記式（ＩＩ）（ｃ）が、
ｎｅｗＴＤＶ＝ｎｅｗＢＳＶ＋ｎｅｗＳＡ
を含み、
前記式（ＩＩ）（ｄ）が、
ｎｅｗＴＤＶ＝（Ｚ）ＹＶ
を含み、
ｎｅｗＴＤＶが、前記実銀行に保有されている新しい総通貨価値を表し、
ｎｅｗＢＳＶが、前記実銀行に保有されている実通貨の以前の額に照らして、前記実銀行に保有されている実通貨の新しい額を表し、ｎｅｗＢＶＳが、式（ＩＩＩ）（ｂ）または（ＩＩＩ）（ｃ）で表される前記コンピュータ実行可能ステップによって決定され、
前記式（ＩＩＩ）（ｂ）が、
ｎｅｗＢＳＶ＝ＢＳＶ＋（Ｘ−ｎｅｗＳＡ）
を含み、
前記式（ＩＩＩ）（ｃ）が、
ｎｅｗＢＳＶ＝ＢＳＶ−ＶＳ
を含み、
ＸがＢＳＶに付加された新しい実通貨を表し、
ｎｅｗＳＡが、式（ＩＶ）（ｂ）：
ｎｅｗＳＡ＝ＳＡ＋（ＳＡＲ）Ｘ
で表される前記コンピュータ実行可能ステップによって決定され、
ＳＡが、ＹＶの過大評価または過小評価によるＹＶの変動を吸収するために確保されるＢＳＶの総通貨価値の一部を表し、
ＳＡＲが、ＹＶの過大評価または過小評価によるＹＶの変動を吸収するために確保されるＢＳＶの総通貨価値の割合であり、
ＶＳが価値ストリームを表し、式（ＩＶ）：
ＶＳ＝ＢＳＶ−（Ｄ）ＹＶ
で表されるコンピュータ実行可能ステップによって決定され、
Ｄが、所与の数量の仮想通貨単位の形をとる品目に対して該品目の購入のための所与の額の実通貨の代わりにまたはそれに付加して、商人によってユーザに提供される割引を表し、
Ｚが、ユーザが実通貨に換算する仮想通貨単位の数量を表す、請求項２０に記載の方法。
【請求項２２】
前記コンピュータ実行可能ステップのメモリが、式（ＩＶ）（ａ）：
ＳＡ＝（ＳＡＲ）ＴＤＶ
で表されるステップに基づいてＳＡを決定することを含み、
ＴＤＶが実銀行の総通貨価値を表し、
ＳＡが、ＹＶの過大評価または過小評価によるＹＶの変動を吸収するために確保されるＢＳＶの総通貨価値の一部を表す、請求項１９から２１のいずれか一項に記載の仮想通貨システム。
【発明の詳細な説明】
【技術分野】
【０００１】
［関連出願の相互参照］
本出願は、２０１７年６月２７日に出願された米国仮特許出願第６２／５２５，７０２号明細書の優先権を主張するものであり、その全体が参照により本明細書に組み込まれるものとする。
【０００２】
本開示は仮想通貨（ｖｉｒｔｕａｌ  ｃｕｒｒｅｎｃｙ）に関する。より詳細には、限定するものではないが、本開示は仮想通貨システム（ｖｉｒｔｕａｌ  ｃｕｒｒｅｎｃｙ  ｓｙｓｔｅｍ）およびその方法に関する。
【背景技術】
【０００３】
別名、ビットコイン（Ｂｉｔｃｏｉｎ）、イーサリアム（Ｅｔｈｅｒｅｕｍ）、ライトコイン（Ｌｉｔｅｃｏｉｎ）などの暗号通貨として知られているデジタル通貨交換（ＤＣＥ：Ｄｉｇｉｔａｌ  ｃｕｒｒｅｎｃｙ  ｅｘｃｈａｎｇｅｓ）が当技術分野で知られている。各暗号通貨のコインの有効性はブロックチェーン（ｂｌｏｃｋｃｈａｉｎ）によって提供される。ブロックチェーンは、ブロックと呼ばれる記録の持続的に増大するリストの元帳であり、ブロックは、暗号化技術（ｃｒｙｐｔｏｇｒａｐｈｙ）を使用してリンクされ保護される。ＩＯＴＡ（アイオータ）などの他の暗号通貨はブロックチェーンを使用せず、代わりにタングルと呼ばれる技術を使用しており、この技術は、有向非巡回グラフ（ＤＡＧ：  ｄｉｒｅｃｔｅｄ  ａｃｙｃｌｉｃ  ｇｒａｐｈｓ）として知られる数学的概念に基づいている。これらの交換により、顧客は、デジタル通貨を他の資産、例えば従来の法定不換紙幣（ｆｉａｔ  ｍｏｎｅｙ）、または他の異なるデジタル通貨と交換することが可能になる。こうしたタイプのビジネスは、従来の支払い方法とデジタル通貨、または厳密にはオンラインビジネスを交換して、電子的に送金された金銭とデジタル通貨を交換することができる。
【０００４】
仮想マネー（Ｖｉｒｔｕａｌ  Ｍｏｎｅｙ）もまた当技術分野で知られており、仮想マネーの開発者によって発行され管理され、特定の（仮想）コミュニティの成員の間で使用され受け入れられる価値のデジタル表現で構成される。
【０００５】
通常の金銭とは異なり、仮想マネーは信頼のシステムに依存しており、中央銀行または他の銀行当局によっては発行されない。
【発明の概要】
【発明が解決しようとする課題】
【０００６】
本開示の目的は、仮想通貨システムを提供することである。
【０００７】
本開示の目的は、仮想通貨を提供し管理する方法を提供することである。
【課題を解決するための手段】
【０００８】
本開示の一態様によれば、実通貨（ｒｅａｌ  ｃｕｒｒｅｎｃｙ）を備える実銀行口座（ｒｅａｌ  ｂａｎｋ  ａｃｃｏｕｎｔ）と通信しかつユーザに販売する製品および／またはサービスを提供するそれぞれの商人の権限下にある１つまたは複数の商人コントローラと通信する仮想通貨コントローラを備える仮想通貨システムが提供され、仮想通貨コントローラは、ユーザに割り当てられた第１の額の仮想通貨単位および仮想ユーザ銀行口座を備え、かつ仮想ユーザ銀行口座のそれぞれに個別に割り当てられた第２の額の仮想通貨単位を備える仮想銀行であって、所与のユーザに割り当てられた所与の銀行口座内の仮想通貨単位が、その所与のユーザの一存で自由に使うことができる、仮想銀行と、ユーザによってアクセスされるために仮想通貨コントローラと通信するユーザインタフェースであって、ユーザインタフェースが、ユーザに、仮想ユーザ銀行口座の当該の１つと商人コントローラによって提供される製品および／またはサービスとへのアクセスを提供する、ユーザインタフェースと、（ａ）実銀行口座内の実通貨の価値、第１の額の仮想通貨単位の合計、および第２の額の仮想通貨単位の合計に基づいて仮想通貨単位の為替レートを決定するステップ、（ｂ）為替レートに基づいてユーザに仮想通貨単位を実銀行口座内の実通貨に交換することを提供するステップ、（ｃ）ユーザインタフェースを介したユーザによる製品および／またはサービスの購入に基づいて所与の額の仮想通貨単位をユーザに選択的に割り当てるステップ、および（ｄ）ユーザが、ユーザのそれぞれのユーザ銀行口座に対して仮想通貨単位による全部もしくは一部の支払いで製品および／またはサービスを購入することを可能にするステップ、を含む、コンピュータ実行可能ステップのメモリと、を備える。
【０００９】
一実施形態では、仮想通貨システムは、メモリ内の所定の要件に基づいてユーザに割り当てられ、仮想通貨単位と交換可能である仮想通貨ポイントのデータベースをさらに備え、ステップ（ｂ）は、直接の仮想通貨単位の代わりに、所与の額の仮想通貨単位を表す所与の額の仮想通貨ポイントを選択的に割り当てることをさらに含む。
【００１０】
仮想通貨システムの一実施形態では、ステップ（ｄ）における仮想通貨単位での支払いは、第１の額の一部として仮想銀行に再預金されるか、または為替レートに基づいて実通貨に交換され、実銀行口座に預金される。
【００１１】
仮想通貨システムの一実施形態では、商人に、実銀行口座に実通貨を預けることが提供される。
【００１２】
仮想通貨システムの一実施形態では、コンピュータ実行可能ステップのメモリは、（Ｉ）（ａ）、（Ｉ）（ｂ）、（Ｉ）（Ｃ）、（Ｉ）（ｄ）、（Ｉ）（ｅ）、（ＩＩ）（ａ）、（ＩＩ）（ｂ）、（ＩＩ）（ｃ）、（ＩＩ）（ｄ）、（ＩＩＩ）（ａ）、（ＩＩＩ）（ｂ）、（ＩＩＩ）（ｃ）、（ＩＶ）（ａ）、（ＩＶ）（ｂ）、（Ｖ）（ａ）、（Ｖ）（ｂ）、（Ｖ）（ｃ）、（Ｖ）（ｄ）、（Ｖ）（ｅ）、（ＶＩ）（ａ）、（ＶＩ）（ｂ）、（ＶＩＩ）、およびこれらの任意の組み合わせからなる群から選択された式を含む。
【００１３】
本開示の一態様によれば、仮想通貨を提供し管理する方法が提供され、この方法は、実通貨を備える実銀行口座を提供すること、販売する商人によって提供される製品および／またはサービスへのアクセスをユーザに提供すること、第１の額の仮想通貨単位を備える仮想銀行を提供すること、ユーザに割り当てられた仮想銀行内に仮想ユーザ銀行口座を設け、仮想ユーザ銀行口座のそれぞれに個別に割り当てられた第２の額の仮想通貨単位を備えることであって、所与のユーザに割り当てられた所与の銀行口座内の仮想通貨単位が、その所与のユーザの一存で自由に使ったりアクセスしたりすることができる、こと、実銀行口座内の実通貨の価値、仮想通貨単位の第１の額の仮想通貨単位の合計、および第２の額の仮想通貨単位の合計に基づいて仮想通貨単位の為替レートを決定すること、ユーザに、為替レートに基づいて実銀行口座内の仮想通貨単位を実通貨に交換することを提供すること、ユーザによる製品および／またはサービスの購入に基づいて所与の額の仮想通貨単位をユーザに選択的に割り当てること、および、ユーザが、ユーザのそれぞれのユーザ銀行口座から仮想通貨単位による全部もしくは一部の支払いで製品および／またはサービスを購入できるようにすること、を含む。
【００１４】
一実施形態では、この方法は、メモリ内の所定の要件に基づいてユーザに割り当てられ、仮想通貨単位と交換可能である仮想通貨ポイントのデータベースを提供することをさらに含み、ステップにおいて、所与の額の仮想通貨単位を選択的に割り当てることは、直接の仮想通貨単位の代わりに、所与の額の仮想通貨単位を表す所与の額の仮想通貨ポイントを選択的に割り当てることを含む。
【００１５】
本方法の一実施形態では、ステップにおける仮想通貨単位での支払いは、第１の額の一部として仮想銀行に再預金されるか、または為替レートに基づいて実通貨に交換され、実銀行口座に預金される。
【００１６】
本方法の一実施形態では、商人に、実通貨を実銀行口座に預けることが提供される。
【００１７】
一実施形態では、この方法は、（Ｉ）（ａ）、（Ｉ）（ｂ）、（Ｉ）（ｃ）、（Ｉ）（ｄ）、（Ｉ）（ｅ）、（ＩＩ）（ａ）、（ＩＩ）（ｂ）、（ＩＩ）（ｃ）、（ＩＩ）（ｄ）、（ＩＩＩ）（ａ）、（ＩＩＩ）（ｂ）、（ＩＩＩ）（ｃ）、（ＩＶ）（ａ）、（ＩＶ）（ｂ）、（Ｖ）（ａ）、（Ｖ）（ｂ）、（Ｖ）（ｃ）、（Ｖ）（ｄ）、（Ｖ）（ｅ）、（ＶＩ）（ａ）、（ＶＩ）（ｂ）、（ＶＩＩ）、およびこれらの任意の組み合わせからなる群から選択された式に基づいて実時間計算を実施することをさらに含む。
【００１８】
一実施形態では、コンピュータ実行可能ステップのメモリは、
【数１】
2020525942.tif 000003
で表されるステップに基づいて仮想通貨の為替レートを決定することを含み、ＹＶは仮想通貨単位の為替レートを表し、ＢＳＶは、実銀行に保有されている実通貨の額を表し、Ｑは、仮想銀行に保有されかつユーザによって所有されていない仮想通貨単位の合計額を表し、Ｍは、ユーザの仮想銀行口座内に保有されている仮想通貨単位の合計額を表す。
【００１９】
一実施形態では、コンピュータ実行可能ステップのメモリは、
【数２】
2020525942.tif 000004
で表されるステップに基づいて仮想通貨の修正済み為替レートを決定することを含み、ｍｏｄｉｆｉｅｄ  ＹＶは仮想通貨単位の修正済み為替レートを表し、Ｄは、所与の額の仮想通貨単位の形をとる品目に対してその品目の購入のための所与の額の実通貨の代わりにまたはそれに付加して、商人によってユーザに提供される割引を表す。
【００２０】
一実施形態では、コンピュータ実行可能ステップのメモリは、式（ＩＩＩ）（ａ）：ＢＳＶ＝（Ｑ）ＹＶ＋（Ｍ）ＹＶで表されるステップに基づいてＢＳＶを決定することを含む。
【００２１】
一実施形態では、コンピュータ実行可能ステップのメモリは、式（Ｉ）（ｂ）または式（Ｉ）（ｃ）または式（Ｉ）（ｄ）で表されるステップに基づいて新しい為替レートを決定することを含み、式（Ｉ）（ｂ）は、
【数３】
2020525942.tif 000005
を含み、
式（Ｉ）（ｃ）は、
【数４】
2020525942.tif 000006
を含み、
式（Ｉ）（ｄ）は、
【数５】
2020525942.tif 000007
を含み、ｎｅｗＹＶは、以前の為替レートＹＶに照らして新しい為替レートを表し、ｎｅｗＢＳＶは、実銀行に保有されている実通貨の以前の額に照らして、実銀行に保有されている実通貨の新しい額を表し、ｎｅｗＢＶＳは、式（ＩＩＩ）（ｂ）または式（ＩＩＩ）（ｃ）で表されるコンピュータ実行可能ステップによって決定され、式（ＩＩＩ）（ｂ）は、ｎｅｗＢＳＶ＝ＢＳＶ＋（Ｘ−ｎｅｗＳＡ）を含み、ＸはＢＳＶに付加された新しい実通貨を表し、ｎｅｗＳＡは、式（ＩＶ）（ｂ）：ｎｅｗＳＡ＝ＳＡ＋（ＳＡＲ）Ｘで表されるコンピュータ実行可能ステップによって決定され、ＳＡは、ＹＶの過大評価または過小評価によるＹＶの変動を吸収するために確保されるＢＳＶの総通貨価値の一部を表し、ＳＡＲは、ＹＶの過大評価または過小評価によるＹＶの変動を吸収するために確保されるＢＳＶの総通貨価値の割合を表し、式（ＩＩＩ）（ｃ）はｎｅｗＢＳＶ＝ＢＳＶ−ＶＳを含み、ＶＳは価値ストリームを表し、式（ＩＶ）：ＶＳ＝ＢＳＶ−（Ｄ）ＹＶで表されるコンピュータ実行可能ステップによって決定され、Ｄは、所与の額の仮想通貨単位の形をとる品目に対してその品目を購入するための所定の額の実通貨の代わりにまたはそれに付加して、商人によってユーザに提供される割引を表し、ｎｅｗＱは、仮想銀行に保有されかつユーザによって所有されていない仮想通貨単位の以前の額に照らして、仮想銀行に保有されかつユーザによって所有されていない仮想通貨単位の新しい総額を表し、ｎｅｗＱは、式（Ｖ）（ａ）または式（Ｖ）（ｂ）または式（Ｖ）（ｃ）または式（Ｖ）（ｄ）または式（Ｖ）（ｅ）で表されるコンピュータ実行可能ステップによって決定され、式（Ｖ）（ａ）は、
【数６】
2020525942.tif 000008
を含み、式（Ｖ）（ｂ）はｎｅｗＱ＝Ｑ−Ｐを含み、式（Ｖ）（ｃ）はｎｅｗＱ＝Ｑ＋Ｚを含み、式（Ｖ）（ｄ）はｎｅｗＱ＝Ｑ＋Ｄを含み、式（Ｖ）（ｅ）はｎｅｗＱ＝Ｑ−Ｄを含み、Ｃは黄金比φを表し、Ｐは、所与の額の仮想通貨ポイントに交換される仮想通貨単位の額を表し、Ｚは、ユーザが実通貨に変換する仮想通貨単位の額を表し、ｎｅｗＭは、ユーザの仮想銀行口座内に保有されている仮想通貨単位の以前の額に照らして、ユーザｓの仮想銀行口座内に保有されている仮想通貨単位の新しい総額を表し、ｎｅｗＭは、式（ＶＩ）（ａ）または式（ＶＩ）（ｂ）で表されるコンピュータ実行可能ステップによって決定され、式（ＶＩ）（ａ）はｎｅｗＭ＝Ｍ−Ｚを含み、式（ＶＩ）（ｂ）はｎｅｗＭ＝Ｍ−Ｄを含む。
【００２２】
一実施形態では、コンピュータ実行可能ステップのメモリは、式（ＩＩ）（ａ）：ＴＤＶ＝ＢＳＶ＋ＳＡで表されるステップに基づいて実銀行に保有される総通貨価値を決定することを含み、ＴＤＶは実銀行内の総通貨価値を表し、ＢＳＶは実銀行内の実通貨の総額を表し、ＳＡは、ＹＶの過大評価または過小評価によるＹＶの変動を吸収するために確保されるＢＳＶの総通貨価値の一部を表す。
【００２３】
一実施形態では、コンピュータ実行可能ステップのメモリは、式（ＩＩ）（ｂ）または式（ＩＩ）（ｃ）または式（ＩＩ）（ｄ）で表されるステップに基づいて実銀行に保有されている以前の総通貨価値に照らして実銀行に保有されている新しい総通貨価値を決定することを含み、式（ＩＩ）（ｂ）はｎｅｗＴＤＶ＝ＴＤＶ＋Ｘを含み、式（ＩＩ）（ｃ）はｎｅｗＴＤＶ＝ｎｅｗＢＳＶ＋ｎｅｗＳＡを含み、式（ＩＩ）（ｄ）はｎｅｗＴＤＶ＝（Ｚ）ＹＶを含み、ｎｅｗＴＤＶは実銀行に保有されている新しい総通貨価値を表し、ｎｅｗＢＳＶは、実銀行に保有されている実通貨の以前の額に照らして、実銀行に保有されている実通貨の新しい額を表し、ｎｅｗＢＶＳは、式（ＩＩＩ）（ｂ）または（ＩＩＩ）（ｃ）で表されるコンピュータ実行可能ステップによって決定され、式（ＩＩＩ）（ｂ）はｎｅｗＢＳＶ＝ＢＳＶ＋（Ｘ−ｎｅｗＳＡ）を含み、式（ＩＩＩ）（ｃ）はｎｅｗＢＳＶ＝ＢＳＶ−ＶＳを含み、ＸはＢＳＶに付加された新しい実通貨を表し、ｎｅｗＳＡは、式（ＩＶ）（ｂ）：ｎｅｗＳＡ＝ＳＡ＋（ＳＡＲ）Ｘで表されるコンピュータ実行可能ステップによって決定され、ＳＡは、ＹＶの過大評価または過小評価によるＹＶの変動を吸収するために確保されるＢＳＶの総通貨価値の一部を表し、ＳＡＲは、ＹＶの過大評価または過小評価によるＹＶの変動を吸収するために確保されるＢＳＶの総通貨価値の割合であり、ＶＳは価値ストリームを表し、式（ＩＶ）：ＶＳ＝ＢＳＶ−（Ｄ）ＹＶで表されるコンピュータ実行可能ステップによって決定され、Ｄは、所与の数量の仮想通貨単位の形をとる品目に対してその品目の購入のための所与の額の実通貨の代わりにまたはそれに付加して、商人によってユーザに提供される割引を表し、Ｚは、ユーザが実通貨に換算する仮想通貨単位の数量を表す。
【００２４】
一実施形態では、コンピュータ実行可能ステップのメモリは、式（ＩＶ）（ａ）：ＳＡ＝（ＳＡＲ）ＴＤＶで表されるステップに基づいてＳＡを決定することを含み、ＴＤＶは実銀行内の総通貨価値を表し、ＳＡは、ＹＶの過大評価または過小評価によるＹＶの変動を吸収するために確保されるＢＳＶの総通貨価値の一部を表す。
【００２５】
本開示の他の目的、利点、および特徴は、添付の図面を参照して例としてのみ与えられる、本開示の例示的な諸実施形態の以下の非限定的な説明を読むとより明らかになるであろう。
【図面の簡単な説明】
【００２６】
添付された図面は以下の通りである。
【００２７】
【図１】本開示の非限定的な例示的実施形態による仮想通貨システムの概略図である。
【００２８】
【図２】本開示の非限定的な例示的実施形態による、商人コントローラによって提供される顧客インタフェースをナビゲートする仮想通貨システムの仮想通貨コントローラによって提供されるユーザインタフェースの概略図である。
【００２９】
【図３】本開示の非限定的な例示的実施形態による仮想通貨システムの仮想通貨コントローラの概略図である。
【００３０】
【図４】本開示の非限定的な例示的実施形態による仮想通貨システムと通信する商人コントローラの概略図である。
【００３１】
【図５】本開示の非限定的な例示的実施形態による仮想通貨システムの概略図である。
【００３２】
【図６】本開示の非限定的な例示的実施形態による、仮想通貨ポイントと仮想通貨単位との間の相関関係を示す仮想通貨システムの仮想通貨コントローラの概略図である。
【００３３】
【図７】本開示の非限定的な例示的実施形態による、実銀行口座内に保有される実法定不換通貨価値およびこの通貨価値と仮想通貨システムによって提供される仮想通貨単位との相関関係の概略図である。
【発明を実施するための形態】
【００３４】
一般的に述べると、本開示の一態様によれば、実通貨を備える実銀行口座と通信し、ユーザに販売する製品および／またはサービスを提供するそれぞれの商人の権限下にある１つまたは複数の商人コントローラと通信する仮想通貨コントローラを備える仮想通貨システムが提供される。仮想通貨コントローラは、ユーザに割り当てられた第１の額の仮想通貨単位および仮想ユーザ銀行口座を備えかつ仮想ユーザ銀行口座のそれぞれに個別に割り当てられた第２の額の仮想通貨単位を備える仮想銀行を備える。所与のユーザに割り当てられた所与の銀行口座内の仮想通貨単位は、その所与のユーザの一存で自由に使うことができる。ユーザインタフェースが、ユーザによってアクセスされるために仮想通貨コントローラと通信する。ユーザインタフェースは、仮想ユーザ銀行口座の当該の１つと商人コントローラによって提供される製品および／またはサービスとにユーザアクセスを提供する。コントローラは、コンピュータ実行可能ステップのメモリを備える。仮想通貨単位の為替レートは、実銀行口座内の実通貨の価値、第１の額の仮想通貨単位の合計、および第２の額の仮想通貨単位の合計に基づいて決定される。ユーザは、仮想通貨単位を為替レートに基づいて実銀行口座内の実通貨に交換することが可能になる。ユーザインタフェースを介したユーザによる製品および／またはサービスの購入に基づいて、所与の額の仮想通貨単位がユーザに選択的に割り当てられる。ユーザは、ユーザのそれぞれのユーザ銀行口座に対して仮想通貨単位による全部もしくは一部の支払いで製品および／またはサービスを購入することが可能になる。
【００３５】
一般的には、本開示の一態様によれば、仮想通貨を提供し管理する方法が提供される。実通貨を備える実銀行口座が提供される。ユーザは、販売する商人によって提供される製品および／またはサービスへのアクセスを提供される。第１の額の仮想通貨単位を備える仮想銀行が提供される。仮想ユーザ銀行口座が仮想銀行内に設けられ、ユーザに割り当てられる。仮想銀行口座は、仮想ユーザ銀行口座のそれぞれに別々に割り当てられた第２の額の仮想通貨単位を備える。所与のユーザに割り当てられた所与の銀行口座内の仮想通貨単位は、その所与のユーザの一存で自由に使ったりアクセスしたりすることができる。仮想通貨単位の為替レートは、実銀行口座内の実通貨の価値、第１の額の仮想通貨単位の合計、および第２の額の仮想通貨単位の合計に基づいて決定される。ユーザは、仮想通貨単位を為替レートに基づいて実銀行口座内の実通貨に交換することが可能になる。ユーザによる製品および／またはサービスの購入に基づいて、所与の額の仮想通貨単位がユーザに選択的に割り当てられる。ユーザは、ユーザのそれぞれのユーザ銀行口座からの仮想通貨単位による全部もしくは一部の支払いで製品および／またはサービスを購入することが可能になる。
【００３６】
図１は、仮想通貨コントローラ１２と、仮想通貨コントローラ１２と通信し、それによって提供されるユーザインタフェース１４と、を備える仮想通貨システム１０を示す。ユーザインタフェース１４は、仮想通貨コントローラ１２と通信する商人コントローラ１８によって提供される商人提供顧客インタフェース１６とも通信する。
【００３７】
図２に示すように、ユーザはユーザインタフェース１４を介して他のウェブベースのプラットフォームインタフェース１６をナビゲートすることができる。例えば、ユーザは、ユーザインタフェース１４を介してＦａｃｅｂｏｏｋ（商標）、Ａｍａｚｏｎ（商標）、ＬｉｎｋｅｄＩｎ（商標）、ｅＢａｙ（商標）、ＹｏｕＴｕｂｅ（商標）、Ｇｏｏｇｌｅ（商標）などのプラットフォームを視覚化するか、別の方法でアクセスすることができる。別の実施形態では、ユーザインタフェース１４は、様々な商人のウェブサイトを視覚化するために使用され得る。したがって、ユーザは、インタフェース１４を介して取引を実施する目的で商人コントローラ情報にアクセスすることができ、インタフェース１４は、そうした目的のために商人提供インタフェース１８の任意の変形形態と通信する。インタフェース１６は、例えば、プラットフォーム、または別のウェブサイトまたはプラットフォーム上のアイコン、部分、セクションなどとすることができる。非限定的な一例では、図２のユーザインタフェース１４は、インタフェース１６上に直接重ねて示される。したがって、システム１０のユーザは、仮想通貨コントローラが提供するユーザインタフェース１４を介して商人提供顧客インタフェース１６にアクセスすることができる。この非限定的な例では、インタフェース１４はインタフェース１６上に重ねられたウィンドウであり、ユーザは、例えばカーソル１５を介してアイコン（Ａ、Ｂ、Ｃ）をクリックすることにより、インタフェース１４を介してインタフェース１６上に表示される様々な品目（Ａ、Ｂ、Ｃ）を購入することを選択することができる。前述の購入は、コントローラ１２および１８の両方に伝達される。
【００３８】
図３および図４に目を向けると、仮想通貨コントローラ１２および商人コントローラ１８は共に、本明細書で説明するように、コンピュータ実行可能ステップを備えるそれぞれのメモリ２０および２２を含む。
【００３９】
図５は、コンピュータ実行可能ステップのメモリ２０（以下でさらに説明する一連の式を含む）を含むコントローラ１２を備えるシステム１０を示す。コントローラ１２は、仮想通貨単位（ＶＣＵ）２４を提供する。ユーザ１１は、インタフェース１４を介して、ユーザ１１のＶＣＵ２４を含む仮想ユーザ口座２６にアクセスすることができる。したがって、ＶＣＵ２４は仮想銀行２８内に保有される。より具体的には、仮想銀行２８は、ユーザ１１によって保有されていないＶＣＵ２４の総額（Ｑ）を備える。したがって、仮想銀行２８内のユーザ１１の個人用仮想口座２６内にユーザ１１によって保有されているＶＣＵの総額（Ｍ）がある。
【００４０】
図５は、仮想通貨コントローラ１２が商人コントローラ１８と通信していること、およびユーザインタフェース１４がユーザインタフェース１６と通信していること、も示す。仮想通貨コントローラ１２は、最終的に、上で説明したようにユーザインタフェース１４および１６を介して製品および／またはサービスを購入するユーザ１１にＶＣＵ２４を提供し、それによって各ユーザは、仮想銀行２８内のユーザ１１の仮想銀行口座２６内にＶＣＵ２４を蓄積することが可能になる。所与の仮想銀行口座２６は、実銀行口座と同じように、ユーザインタフェース１４を介して認定ユーザにのみアクセス可能である。したがって、図示のように、仮想銀行２８は、認定ユーザ１１にのみアクセス可能な複数のユーザ口座２６を備える。
【００４１】
図６を参照すると、仮想通貨コントローラ１２は、ユーザ１１に仮想通貨ポイント（ＶＣＰ）３０も提供する。したがって、仮想通貨コントローラ１２はＶＣＰ３０のデータベース３８を備える。以下でさらに説明するように、ＶＣＰ３０はＶＣＵ２４と交換可能である。したがって、ユーザ１１が上記の製品および／またはサービスを購入することによりＶＣＵ２４を直接取得する代わりに、ユーザ１１に、ＶＣＵ２４と交換することができるＶＣＰ３０が割り当てられる。
【００４２】
図５に戻ると、ＶＣＵ２４の価値は、実銀行または他の金融機関３４内のシステム１０が管理する銀行口座３２内に保有された実法定不換通貨に依存する。本明細書での例では、実法定不換通貨は米ドルであり、参照番号３３で表示されている。本明細書で説明するように、それぞれのコントローラ１８を所有するか別の方法で管理する商人３６が銀行口座３２内に金銭３３を投資する。
【００４３】
以下でさらに説明するように、ＶＣＵ２４は実法定不換通貨３３と交換することもできる。
【００４４】
図６に戻って、さらに図５を参照すると、コントローラ１２は、前述のようにＶＣＰ３０のデータベース３８を備える。ユーザ１１は、ユーザ１１が蓄積してきたＶＣＰ３０のＶＣＰ口座４０を提供される。所与の数のＶＣＰ３０（ｎＶＣＰ）が所与の数のＶＣＵ２４（ｎＶＣＵ）と交換可能である。
【００４５】
以下でさらに説明するように、仮想通貨の実市場価値（為替レート）は、コントローラ１２のメモリ２０に保持された一連のコンピュータ実行ステップによって決定される。したがって、仮想通貨コントローラ１２は、以下で詳述するように、ＶＣＵ２４の流通および市場価値を調整するようにする。
【００４６】
仮想通貨コントローラ１２は仮想通貨ポイント３０を提供する。所定の額の仮想通貨ポイント３０を仮想通貨単位２４と交換することができる。
【００４７】
説明を容易にするために、以下の頭字語が提供される。
【００４８】
ＶＣＵ：仮想通貨単位（Ｖｉｒｔｕａｌ  Ｃｕｒｒｅｎｃｙ  Ｕｎｉｔ）（２４）
【００４９】
ＶＣＰ：仮想通貨ポイント（Ｖｉｒｔｕａｌ  Ｃｕｒｒｅｎｃｙ  Ｐｏｉｎｔｓ）（３０）
【００５０】
ＹＶ：仮想通貨の設定価値（図７参照）。ＹＶは、ＶＣＵ２４の市場価値（為替レート）である。
【００５１】
ＢＳＶ：銀行現金価値（Ｂａｎｋ  ｃａｓｈ  ｖａｌｕｅ）（図７参照）。ＢＳＶは、銀行口座３２内に保有される実際の実通貨（例えば米ドル）の市場価値である。したがって、仮想銀行２８は、実銀行または金融機関３４に保有されている実銀行口座３２と通信し、この実銀行口座３２内の金銭３３はＶＣＵ２４を保証するものであり、口座の標準経済単位が定量の金に基づいている金本位通貨制度と同様に、仮想通貨は、上記の実口座内のＢＳＶの実数量に基づいている。
【００５２】
Ｘ：銀行に付加される新しいドル。Ｘは、ＢＳＶに付加される新しい金銭の額３３である。
【００５３】
ＴＤＶ：総ドル価値（Ｔｏｔａｌ  ｄｏｌｌａｒ  ｖａｌｕｅ）（図７参照）。ＴＤＶは、ＢＳＶに、ＹＶの過大評価または過小評価によるＹＶの変動を吸収するためのショックアブソーバ（ＳＡ）として提供される追加金額を加えたものである。
したがって、ＴＤＶ＝ＢＳＶ＋ＳＡである。本システム１０は、商人３６が金銭３３を口座３２に預けることを可能にする。これらの新しい金銭はＸで表される。
本質的には、システム１０は、広告などのサービスを商人３６に販売する。この販売からの金銭の一部（例えば１０〜３０％）が口座３２に預けられる。これらの預金の所定の割合（例えば、０％〜１５％〜３０％など）はＳＡを含み、残り（例えば、１００％〜８５％〜７０％など）はＢＳＶを含む。
【００５４】
ＳＡ：ショックアブソーバ（Ｓｈｏｃｋ  ａｂｓｏｒｂｅｒ）（図７参照）。ＹＶの過大評価または過小評価によるＹＶの変動を吸収するために確保されるＴＤＶの金額部分である。
ＳＡは、変更される可能性のある変数である。
【００５５】
ＳＡＲ：ショックアブソーバ比（Ｓｈｏｃｋ  ａｂｓｏｒｂｅｒ  ｒａｔｉｏ）。ＳＡＲは、ＳＡとして確保されるＴＤＶの割合である。
【００５６】
Ｑ：仮想通貨銀行の数量（図７参照）。Ｑは、仮想銀行２８によって保有され、ユーザ１１によって所有されないＶＣＵ２４の総額である。
【００５７】
Ｍ：ユーザ１１によって所有される仮想通貨（図７参照）。Ｍは、ユーザ１１の私用口座内の成員（ユーザ）によって所有されるＶＣＵ２４の総額である。
【００５８】
Ｃ：φの恒常価値、さもなければ、１．６１８０（１．６１８０３３９８８７４９８９４８４８２…）である黄金比として知られている。
【００５９】
Ｐ：仮想通貨ポイントの数量。Ｐは、所与の額のＶＣＰ３０と交換されるＶＣＵ２４の額である。
【００６０】
Ｚ：仮想通貨ドルの数量。Ｚは、成員が実際の実通貨（例えば米ドル）に変換／交換したいと望むＶＣＵ２４の数量である。
【００６１】
Ｄ：品目ＶＣＵ価格（割引）／仮想価格。Ｄは、ユーザが商人３６によって提供される品目（製品またはサービス）を購入するために必要なＶＣＵ２４の額である。
【００６２】
ＶＳ：価値トリーム。
商人３６は、上で説明したようにシステム１０を介してユーザ１１に品目（製品またはサービス）を提供することができる。これらの品目は所与のＤで提供され、所与のＤは完全な取得価格または実通貨価格の割引である。品目は、ユーザ１１に商人の顧客になってもらうための販売促進ギフトとして提供され得る（ウェブサイトへの参加、他の製品の購入など）。いずれにせよ、ユーザがＤに基づいてＶＣＵ２４で所与の品目を購入すると、この額は実法定不換通貨３３と交換され、実法定不換通貨３３の全部または一部がＸとして銀行口座３２に再び入金される。
【００６３】
新しい金銭３３が実銀行口座３２に入金（Ｘ）されると、この情報はコントローラ１２に伝達され、次いで、コントローラ１２は下記式を含む、コントローラ１２のメモリ２０に格納された一連のコンピュータ実行ステップを処理する（図５参照）。
【数７】
2020525942.tif 000009
（ＩＩ）ＴＤＶ＝ＢＳＶ＋ＳＡ（ａ）
ｎｅｗＴＤＶ＝ＴＤＶ＋Ｘ（ｂ）
ｎｅｗＴＤＶ＝ｎｅｗＢＳＶ＋ｎｅｗＳＡ（ｃ）
ｎｅｗＴＤＶ＝（Ｚ）ＹＶ（ｄ）
（ＩＩＩ）ＢＳＶ＝（Ｑ）ＹＶ＋（Ｍ）ＹＶ（ａ）
ｎｅｗＢＳＶ＝ＢＳＶ＋（Ｘ−ｎｅｗＳＡ）（ｂ）
ｎｅｗＢＳＶ＝ＢＳＶ−ＶＳ（ｃ）
（ＩＶ）ＳＡ＝（ＳＡＲ）ＴＤＶ（ａ）
ｎｅｗＳＡ＝ＳＡ＋（ＳＡＲ）Ｘ（ｂ）
【数８】
2020525942.tif 000010
ｎｅｗＱ＝Ｑ−Ｐ（ｂ）
ｎｅｗＱ＝Ｑ＋Ｚ（ｃ）
ｎｅｗＱ＝Ｑ＋Ｄ（ｄ）
ｎｅｗＱ＝Ｑ−Ｄ（ｅ）
（ＶＩ）ｎｅｗＭ＝Ｍ−Ｚ（ａ）
ｎｅｗＭ＝Ｍ−Ｄ（ｂ）
（ＶＩＩ）ＶＳ＝ＢＳＶ−（Ｄ）ＹＶ
【００６４】
以下の非限定的な例は、上記のコンピュータ実行ステップをさらに説明するために使用される。
【００６５】
［例１］
システム１０の現在の財務状況は次のとおりである。
・ＹＶ＝０．５米ドル／ＶＣＵ
・ＢＳＶ＝４２，６９３．７５米ドル（ＴＤＶの８２．５％）
・ＳＡ＝９，０５６．２５米ドル（ＴＤＶの１７．５％）
・Ｑ＝６８，１３２．５０米ドル
・Ｍ＝１７，２５５．００米ドル
・ＴＤＶ＝５１，７５０．００米ドル
・Ｃ＝１．６１８
・Ｘ＝変数
・Ｚ＝変数
・Ｐ＝変数
・ＳＡＲ＝１７．５％
【００６６】
システム１０のプロバイダは、商人３６から５０，０００．００米ドルの流入を受け取る。この流入の一部が、コントローラ１２と通信している口座３２に預けられる。この例では、１３．７５％、すなわち６，８７５．００米ドルが口座３２に入金される。したがって、Ｘ＝６，８７５．００米ドル。ｎｅｗＱは、上記の式（Ｖ）（ａ）を適用することで＝７２，３８１．５７２９米ドルが得られる。ｎｅｗＴＤＶは、上記の式（ＩＩ）（ｂ）を適用することで＝５８，６２５．００米ドルが得られ、より正確には上記の式（ＩＩ）（ｃ）で、＝５８，６２４．７５米ドルが得られる。
【００６７】
ｎｅｗＢＳＶは、上記の式（ＩＩＩ）（ｂ）で＝４８，３６５．６２５米ドルが得られ、ｎｅｗＳＡは、上記の式（ＩＶ）（ｂ）で＝１０，２５９．１２５米ドルが得られる。したがって、ｎｅｗＹＶは、上記の式（Ｉ）（ｂ）に基づいて＝０，５３９５（ｎｅｗＱとｎｅｗＢＳＶの両方を考慮する）である。
【００６８】
したがって、上記の一連の計算が５０，０００．００米ドルの流入に続いて実行されると、初期の所与の価値は以下の結果を提供するように変更される。
・ＹＶ＝０．５３９５米ドル／ＶＣＵ
・ＢＳＶ＝４８３６５．６２５米ドル（ＴＤＶの８２．５％）
・ＳＡ＝１０，２５９．１２５米ドル（ＴＤＶの１７．５％）
・Ｑ＝７２，３８１．５７２９米ドル
・Ｍ＝１７，２５５．００米ドル
・ＴＤＶ＝５８，６２４．７５米ドル
【００６９】
［例２］
ユーザ１１がある額のＶＣＰ３０（ｎＶＣＰ）を所与の数のＶＣＵ２４（ｎＶＣＵ）に交換すると、仮想銀行２８はその数のＶＣＵ（すなわちＰ）を失う。したがって、ｎｅｗＱ＝Ｑ−Ｐ。
その結果、ユーザによって所有されるＶＣＵ２４の額は、仮想銀行２８が失ったのと同じ額、すなわちＰだけ増加する。
したがって、ｎｅｗＭ＝Ｍ＋Ｐ。
【００７０】
上記を念頭に置き、式（ＩＩＩ）（ａ）を更新すると、ＢＳＶ＝（Ｑ−Ｐ）（ＹＶ＋（Ｍ＋Ｐ）（ＹＶ）、したがってｎｅｗＢＳＶを与える。
したがって、ＶＣＵ２４のＹＶ（為替レート値）は式（Ｉ）（ｃ）を適用することによって更新される。Ｐは式（ＩＩＩ）（ａ）でＰ自体を相殺するので、ＢＳＶおよびＹＶは同じままである。コントローラ１２のメモリ２０内のコンピュータ実行ステップは、仮想銀行２８からユーザ１１へのＶＣＵ２４の転送を記録している（コントローラ１２のメモリ２０内のＭ）。
【００７１】
［例３］
この例では、ＹＶ、ＢＳＶ、ＳＡ、Ｑ、Ｍ、およびＴＤＶの値は、例１の最後に得られる値である。
【００７２】
所与のユーザ１１が、ユーザ１１の仮想銀行口座２６内に保有される１１５０個のＶＣＵを実通貨３３（例えば米ドル）に変えたいと望む。したがって、Ｚ＝１１５０。上記の式（ＩＩ）（ｄ）、ｎｅｗＴＤＶ＝（Ｚ）ＹＶを使用して、ｎｅｗＴＤＶは＝５８，０００．３２５米ドルが得られる。したがって、ＳＡは、式（ＩＶ）（ａ）で＝１０，１５０．７５６８米ドルに更新される。今、ＴＤＶとＳＡの両方を更新したので、ＢＳＶは式（ＩＩ）（ａ）に基づいて更新される、ここで、ＴＤＶ＝ＢＳＶ＋ＳＡ、したがってＢＳＶ＝ＴＤ−ＳＡ＝４７，８５３．５６８１米ドルである。
【００７３】
ｎｅｗＱは、式（Ｖ）（ｃ）ｎｅｗＱ＝Ｑ＋Ｚにより＝７３．５３１．５７２９米ドルが得られる。ｎｅｗＭは、式（ＶＩ）（ａ）ｎｅｗＭ＝Ｍ−Ｚにより＝１６，１０５．００米ドルが得られる。したがって、ＶＣＵ２４の為替レートまたは市場価値は、
【数９】
2020525942.tif 000011
に基づいて＝０．５４４８米ドル：ＶＣＵ１．０に更新される。
【００７４】
したがって、上記の一連の計算が１１５０個のＶＣＵを換金する成員の取引に続いて実行されると、例１の最後の初期値は、以下の結果を提供するように変更される。
・ＹＶ＝０．５３３８米ドル／ＶＣＵ
・ＢＳＶ＝４７，８５３．５６１米ドル（ＴＤＶの８２．５％）
・ＳＡ＝１０，１５０．７５６８米ドル（ＴＤＶの１７．５％）
・Ｑ＝７３，５３１．５７２９米ドル
・Ｍ＝１６，１０５００米ドル
・ＴＤＶ＝５８，００４．３２５米ドル
【００７５】
［例４］
本システム１０では、商人３６が、ＶＣＵ２４と引き換えに製品およびサービスをユーザ１１に提供する。商人３６はＶＣＵ２４を所持せず、これらのＶＣＵ２４を、システム１０によって管理される仮想銀行２８に預ける。
【００７６】
したがって、ユーザ１１によって商人３６に支払われたＶＣＵ２４は、実際には、商品またはサービスに関して商人３６によって提供される割引（Ｄ）である。ＶＣＵ２４は、単に、ユーザ１１と商人３６との間にリンクを作るためのインセンティブ要素に過ぎない。ユーザ１１はＶＣＵ２４を支払い、商人はＶＣＵ２４を銀行口座２８内に預ける。
【００７７】
したがって、ＹＶは次式（Ｉ）（ｅ）で得られる。
【数１０】
2020525942.tif 000012
【００７８】
ｎｅｗＱはＱ＋Ｄであり、ｎｅｗＭはＭ−Ｄである。Ｄは、仮想ユーザ口座２６のうちの所与の１つから失われ、仮想銀行口座２８によって獲得されたＶＣＵの額を表す。
【００７９】
ＶＳは次式（ＶＩＩ）によって得られる。
ＶＳ＝ＢＳＶ−（Ｄ）ＹＶ
【００８０】
したがって、ｎｅｗＢＳＶは式（ＩＩＩ）（ｃ）で更新され、ｎｅｗＹＶは式（Ｉ）（ｄ）で得られる。
【００８１】
上記の例は、ＶＣＵ２４のベースを実法定不換通貨３３におくことに関して、コンピュータ実行ステップのメモリ２０によって提供されるシステムの４つの異なるアクションの効果を実証した。
【００８２】
アクション１：商人３６が現金３３を実銀行口座３２に預ける。
【００８３】
アクション２：ユーザ１１がＶＣＰ３０をＶＣＵ２４と交換する。
【００８４】
アクション３：ユーザ１１はＶＣＵ２４を実通貨３３に引き換える。
【００８５】
アクション４：商人３６はＶＣＵ２４のための製品および／またはサービスをユーザ１１に提供する。
【００８６】
一実施形態では、各ＶＣＵ２４は実通貨と同様のシリアル番号を有し、それによって偽造を回避する。さらに、ＶＣＵ２４の流通速度を追跡することができる。
【００８７】
一実施形態では、ＶＣＵの仮想ユーザ口座２６は、個人（現実の人々）しか保有することができず、組織などの法人または会社、協会、パートナーシップなどの道徳的人物は保有することができない。
【００８８】
別の例では、システム１０は、ＶＣＵ２４が分割され、実通貨の支払いが所与の日に各ユーザ１１に対して行われることを、インタフェース１４を介してユーザ１１に通知することができる。メッセージは、各ユーザ１１が新規ユーザ１１とサインアップすることも要求する。新規ユーザ１１がシステム１０にサインアップすると、新規ユーザ１１とそれらをもたらしたユーザ１１の両方がボーナスＶＣＰ３０およびＶＣＵ２４を受け取る。この例では、流通している（すなわち、口座２６内の）すべてのＶＣＵ２４の５０％が実法定不換通貨３３で支払われる。その場合、残りのＶＣＵ２４は０．５０米ドル〜０．７５米ドルで評価される。ＢＳＶは５０％減少し、Ｑは５０％増加する。したがって、増加したＶＣＵ２４（すなわちＱ）は配当またはデリバティブとして提供することができる。したがって、ＶＣＵ２４は、ユーザ１１の口座２６内に存在するよりも多くのＶＣＵ２４を必要とする（商人３６からの）申し出を履行することを望むユーザ１１に「貸し出す」ことができる。
【００８９】
別の例では、商人３６は、システム１０によって決定された実ＹＶよりも高いＹＶでＶＣＵの償還をユーザ１１に提供することができる。
【００９０】
システム１０は、システム１０に年会費を支払うユーザ１１または機関（銀行など）によるデリバティブを提供して、システムの法定不換通貨口座３２内の預金に関する知識を得ることができる。さらに、口座３２で収集された額は、予測可能な成長率で安全な投資（例えば米国ＧＩＣ）で投資することができる。
【００９１】
ユーザ１１には、ユーザが商人３６の施設の１つに近いので、ユーザのハンドヘルドインタフェース１４（スマートフォン）を介して商人３６によってＶＣＰ３０を提供することができる。例えば、コーヒ店３６は、店舗近くのユーザ１１の位置を特定し、ユーザ１１が品目（例えばコーヒ）を購入するための所与の額のＶＣＰ３０を受け取るというメッセージを、インタフェース１４を介してユーザ１１に送信することができる。あるいは、商人３６は、上で説明したようにＶＣＵ２４による支払いの割引を提供することもできる。
【００９２】
商人３６は、ＶＣＰ３０のブロックを購入し、これらのＶＣＰ３０を、製品１１およびサービスを購入するユーザ１１および新規ユーザ１１に提供することもできる。ある種のＶＣＰ３０は、新規ユーザ１１とサインアップするユーザ１１向けのＶＣＵ２４に引き換えられるか、またはユーザ１１に製品および／またはサービスを購入させることができる。
【００９３】
ＶＣＰは、商人３６によって提供される宝くじまたはゲームを介して獲得することもできます。
【００９４】
別の実施形態では、ＶＣＵはゼロリスクデリバティブとしてヘッジすることができる。例えば、ＶＣＵプロバイダが所与の期間および所与の価値で商人と契約を締結する場合、ＶＣＵプロバイダは、商人の銀行口座への保証金を調整することができる。ＶＣＵプロバイダは、ＶＣＵプロバイダが行うことができるアクション１の回数および額を決定することができる。したがって、商人３６の現金３３の額と実銀行口座３２に入金される時間とを調整することができる。したがって、実法定不換通貨３３に基づくＶＣＵ２４の価値（すなわち、ＶＣＵ２４の為替レート）は、契約期間にわたって調整することができる。したがって、ＶＣＵプロバイダは、この契約により、ＶＣＵの為替レートがロバイダの保有する既知の潜在的保証金により所与の時点で所与の額になることを保証することができる。
【００９５】
以下では、実通貨が銀行に預けられた後で、ただし実通貨がＴＤＶ（総ドル価値）に適用される前に、実通貨に何が起こるかの一例を説明する。実法定不換紙幣が売掛金の形でＶＣＵプロバイダの口座に預金されると、この紙幣は、その一部がＶＣＵに価値を付加するように分割される。
基金の一部は、すべてのクレジットをＶＣＵに一度に適用すると急激な価値スパイクをもたらして、不安定性および潜在的な積極的投機を引き起こすので、ＴＤＶへの大規模な現金注入を回避する保有口座内に置かれる。したがって、ＶＣＵの整合性を確保するために、金銭はＴＤＶに少しずつ適用される。
そうする際に、プロバイダは、ＢＳＶ（銀行設定価格）およびＴＤＶの将来の状態をより確実に予測することを提供する預金スケジュールを保持する。
ＢＳＶの将来の状態に関する知識は、ＹＶの将来の状態または価値、すなわちＶＣＵの価値のより確実な予測を提供する。
これにより、ゼロリスクのデリバティブまたは無視できるリスクのデリバティブとなる。預金スケジュールにアクセスできるエンティティは、既存のＶＣＵを購入することを提案するとともに、そのＶＣＵの将来価値を予測するこの能力に基づいてより高い価値を提示することができる。
【００９６】
本明細書に記載の様々な特徴は、他の実施形態を提供するように本開示の文脈内で様々な方法で組み合わせることができる。したがって、これらの実施形態は相互に排他的ではない。さらに、本明細書で論じられる実施形態は、図示および／または説明される特徴および要素のすべてを含む必要はなく、したがって、特徴の部分的な組み合わせも考えられる。さらに、記載されているものよりも少ない特徴をもつ実施形態も考えられる。本開示は、その適用において、添付の図面に例示され、先に記載された構造および部品の詳細に限定されないことを理解されたい。本開示は、他の実施形態でも可能であり、様々な方法で実施することができる。また、本明細書で使用される表現または用語は説明のためのものであり、限定するものではないことも理解されたい。したがって、本開示は、本開示の非限定的な例示的実施形態として先に提供されたが、本開示は、本開示および特許請求の範囲、趣旨および性質から逸脱することなく修正することができる。
【図１】
2020525942.tif 000025
【図２】
2020525942.tif 000026
【図３】
2020525942.tif 000027
【図４】
2020525942.tif 000028
【図５】
2020525942.tif 000029
【図６】
2020525942.tif 000030
【図７】
2020525942.tif 000031
【国際調査報告】
2020525942.tif 000032
2020525942.tif 000033
2020525942.tif 000034